(57)【要約】本発明は、面状の発熱抵抗（２）と２つの長く延びる接触領域（４、４’）を有し、前記接触領域は互いに隔たって発熱抵抗（２）に配置されており、かつ接触領域は発熱抵抗（２）の加熱すべき面（６、６’）をほぼ自らの間に有する、発熱素子（１）に関するものである。発熱素子（１）は少なくとも１つの標準領域（８、８’）と少なくとも１つの特別領域（１０）を有しており、それら領域内で接触領域（４、４’）の間隔（１２、１３）は互いに異なっており、発熱素子（１）は、標準領域（８、８’）と特別領域（１０）を電気的に互いに絶縁する、少なくとも１つの阻止領域（２６、２６’）を有しており、かつ特別領域（１０）内では、発熱抵抗（２）の電気的導通性は、標準領域（８、８’）のそれとは異なっていることが、提案される。【選択図】図１
2004522293.tif 000002
【特許請求の範囲】
【請求項１】
面状の発熱抵抗（２）と長く延びる接触領域（４、４’）とを有し、前記接触領域は互いに隔たって発熱抵抗（２）に配置されており、かつ前記接触領域は発熱抵抗（２）の加熱すべき面（６、６’）をほぼ自らの間に有している、発熱素子（１）において、
発熱素子（１）は、少なくとも１つの標準領域（８、８；）と少なくとも１つの特別領域（１０）を有しており、それら領域内で接触領域（４、４’）の間隔（１２、１３）は互いに異なっており、
発熱素子（１）は、標準領域（８、８’）と特別領域（１０）を電気的に互いに絶縁する、少なくとも１つの阻止領域（１６、１６’）を有しており、かつ
特別領域（１０）においては、発熱抵抗（２）の電気的導通性は、標準領域（８、８’）のそれとは異なっていることを特徴とする発熱素子。
【請求項２】
発熱抵抗（２）は、電気的に導通する繊維または糸を有しており、かつ
特別領域（１０）におけるこれら繊維／糸の密度は、標準領域（８、８’）における密度とは異なっていることを特徴とする請求項１に記載の発熱素子。
【請求項３】
阻止領域（１６，１６’）は、発熱抵抗（２）の切欠きによって形成されていることを特徴とする請求項１または２に記載の発熱素子。
【請求項４】
繊維／糸は、カーボンおよび／または電気的に導通するようにコーティングされたプラスチック材料から形成されていることを特徴とする請求項１から３のいずれか１項に記載の発熱素子。
【請求項５】
−特に円形の−グリップ（２０）、ステアリングロッド（２２）に接続可能な中心片（２４）およびグリップ（２０）と中心片（２４）を結合する少なくとも１本のスポーク（２６、２６’）を有する操舵装置において、
請求項１から４のいずれか１項に記載の発熱素子の、その特別領域（１０）がスポーク（２６、２６’）の領域に、そして標準領域（８、８’）がグリップ（２０）の領域に配置されていることを特徴とする操舵装置。
【発明の詳細な説明】
【０００１】
本発明は、請求項１の上位概念に記載の発熱素子に関する。この分野の発熱素子は、たとえば自動車内でステアリングホィールを加熱するために利用される。
【０００２】
（従来の技術）
実用対象の、人と接触する面を加熱することが知られている。そのために、加熱すべき実用面上に面状の発熱抵抗が取り付けられて、電気的に加熱される。
【０００３】
面が幾何学的に単純な場合に、このシステムは効果的であることが明らかにされている。
【０００４】
しかし、複雑に成形された三次元の面においては、この種の発熱素子の配置は困難である。その典型的な例は、ステアリングホィールの場合には、ステアリングホィールとステアリングホィールスポークとの結合箇所である。
【０００５】
（発明の対象）
請求項１に記載の発熱素子は、幾何学的に複雑な面も簡単な方法で電気的に接触させて加熱する、という利点を有している。
【０００６】
請求項２に記載の発熱素子は、湾曲された表面にも皺なしで適合することができる、という利点を有している。
【０００７】
請求項３に記載の発熱素子は、簡単に形成される。
【０００８】
請求項４に記載の発熱素子は、安価であって、機械的に強く負荷をかけることができる。
【０００９】
請求項５に記載の装置は、ステアリングホィールスポークとステアリングホィールのグリップ領域との結合箇所も加熱することを可能にする。このことは、多くの運転者がその親指をスポークにかけるので、重要である。
【００１０】
（図面）
以下の説明は、発明を実施する可能性を扱っている。これらの実施は、例としてのみ理解すべきであって、以下の図を参照する。
【００１１】
（実施例の説明）
図１は、発熱素子１の一部分を示している。発熱素子１は、細長い発熱抵抗２を有している。発熱抵抗２に沿って、第１と第２の接触領域（４、４’）が配置されている。その場合に第１と第２の接触領域（４、４’）は、その長さ全体にわたって発熱抵抗２と電気的に導通接続されている。
【００１２】
図１に示す、発熱素子１の一部分は、３つの領域を有している。第１と第２の標準領域（８、８’）においては、発熱抵抗２はほぼ変化しない幅を有している。従って第１と第２の接触領域（４、４’）の互いに対する距離１２、１２’は、同様にほぼ等しい大きさである。
【００１３】
第１と第２の標準領域（８、８’）の間に、特別領域１０が配置されている。この特別領域１０内において、発熱素子２の幅は、標準領域（８、８’）におけるのとは異なる。従って接触領域（４、４’）の間隔１３も、間隔１２、１２’に対して標準領域（８、８’）とは異なっている。この場合には、もっと大きい。
【００１４】
発熱素子２は、電気的に導通する、あるいは電気的に導通するようにコーティングされた、糸および／または繊維を有している。これら糸および／または繊維は、第１と第２の接触領域（４、４’）間に電気的に導通する接続を形成する。
【００１５】
糸／繊維の密度、従って単位空間または単位面積当たりのその数は、標準領域（８、８’）における発熱抵抗の所定の導電性をもたらす。このととが、２つの接触領域（８、８’）の互いに対する距離１２、１２’）と協働して、標準領域（８、８’）における発熱抵抗２の所定の抵抗をもたらす。
【００１６】
糸／繊維は、方向性を定めずに、たとえばフリースの形状で配置することができる。しかしこの例においては、それらは支持体テキスタイル上に縫いつけられている（図示せず）。その場合にそれの糸／繊維は、一方の接触領域（４）から他方の接触領域（４’）へ接触領域（４、４’）の延び方向に対してほぼ直角に延びている。糸／繊維の互いに対する平均の距離は、単位面積当たりの糸の数と、従って標準領域８、８’における発熱抵抗２の導電性を定める。
【００１７】
特別領域１０には、同様に、電気的に導通する、ないしは電気的に導通するようにコーティングされた糸／繊維が設けられている。しかしその密度は、標準領域（８、８’）における密度とは異なる。この場合においては、その密度は高められている。それによって特別領域１０内の発熱抵抗２の電気的導通性は、変化されており−ここではすなわち減少されている。導通する糸／繊維の密度は、好ましくは、標準領域（８、８’）における発熱抵抗２の電気的全抵抗が、特別領域１０のそれと同一であるように選択されている。従って２つの接触領域（４、４’）の増大された間隔により増大された抵抗は、より高い繊維／糸密度に基づくより高い電気的導通性により補償される。
【００１８】
その場合にここでも同様に、方向性を定めずに配置された糸／繊維が考えられる。しかし、本実施例においては、それらは同様に縫いつけられている。それら糸／繊維は、同様に一方の接触領域（４）から他方の接触領域（４’）へ、接触領域（４、４’）の延び方向に対してほぼ直角に延びている。糸／繊維の互いに対する平均の距離は、特別領域１０内では標準領域８、８’内よりも小さい。それによって固有導通性は、ここでは、標準領域８、８’におけるよりも低い＊。
【００１９】
標準領域８、８’における糸／繊維の平均の間隔は、約２ｍｍである。特別領域１０内では、それは約４ｍｍである。
【００２０】
発熱素子２の標準領域（８、８’）と特別領域１０の間には、それぞれ阻止領域（１６、１６’）が設けられている。阻止領域１６は、ここに示すように最も簡単な場合には、切欠きとすることができる。阻止領域（１６、１６’）は、標準領域（８、８’）と特別領域１０の間に電流が進入することを阻止する。
【００２１】
駆動中、接触領域（４、４’）は、−図示されていない−電圧源に接続される。それによって電流は一方の接触領域へ供給される。その場合に電流は、発熱素子をその長手方向の延びに対してほぼ垂直に通過する。電流は、発熱素子２の対向する側において、第２の接触領域４’内へ供給されて、そこから電流源へ流れ戻る。
【００２２】
阻止領域（１６、１６’）は、標準領域８、８’と特別領域１０の２つの隣接する端縁糸／端縁繊維の間隔が十分に大きく選択されることによって、形成することもできる。
【００２３】
その場合に、２つの領域８、８’；１０間の電流進入は、同様に排除されている。
【００２４】
特別領域１０内に糸／繊維をより狭く配置する代わりに、糸／繊維はより大きい直径を有し、あるいは束ねて配置することもできる。
【００２５】
図２は、スポーク２６、２６’を介して中心片２４と結合された、円形のグリップ２０を有するステアリングホィールを示している。中心片２４は、縦ロッド２２上に配置されている。
【００２６】
本発明に基づく発熱素子の長手方向の延びを、グリップのホィール周面に配置すると、効果的である。その場合には、標準領域８、８’は、グリップ２０の通常のグリップ領域に配置される。特別領域１０は、スポーク２６、２６’に配置される。それによって発熱素子１は、スポーク２６、２６’の、グリップ２０と結合された突出部もカバーする。このことによって、ユーザーは親指がスポーク２６、２６’に接した場合でも不快な冷たさを知覚しないことが、保証される。
【図面の簡単な説明】
【図１】
本発明に基づく発熱素子の一部を示す上面図である。
【図２】
ステアリングホィールを概略的に示す上面図である。
【国際公開パンフレット】
2004522293.tif 000003
2004522293.tif 000004
2004522293.tif 000005
2004522293.tif 000006
2004522293.tif 000007
2004522293.tif 000008
2004522293.tif 000009
2004522293.tif 000010
2004522293.tif 000011
2004522293.tif 000012
2004522293.tif 000013
2004522293.tif 000014
【国際公開パンフレット（コレクトバージョン）】
2004522293.tif 000015
【国際調査報告】
2004522293.tif 000016
2004522293.tif 000017
2004522293.tif 000018
2004522293.tif 000019